(57)【要約】      （修正有）【課題】異なる差し込み口での電力供給に対応するために異なる電極ヘッドの交換および組み付けることが容易な、電池パック出力電極ヘッド装置を提供する。【解決手段】電池パック出力電極ヘッド装置１０は、少なくとも２つの固定孔１４２を設けた共用上蓋１４と、共用上蓋の外部に設けられるとともに各固定孔の位置に対応する少なくとも２つの電極ヘッド１８と、共用上蓋の内部から固定孔をそれぞれ貫通した後、電極ヘッドを共用上蓋の外部に固定する少なくとも１組の固定素子１６と、を含む。固定素子はボルトまたはネジであり、電極ヘッドは端子ヘッド１８ａ、円形電極ヘッド１８ｂまたはＬ字型電極ヘッド１８ｃである。【選択図】図２
0003189899.tif 000002
【実用新案登録請求の範囲】
【請求項１】
少なくとも２つの固定孔を設けた共用上蓋と、
前記共用上蓋の外部に設けられるとともに前記固定孔の位置にそれぞれ対応する、少なくとも２つの電極ヘッドと、
前記共用上蓋の内部から前記固定孔をそれぞれ貫通した後、前記電極ヘッドを前記共用上蓋の外部に固定する１組の固定素子と、
を含む、交換可能な電池パック出力電極ヘッド装置。
【請求項２】
前記固定素子はボルトまたはネジである、請求項１に交換可能な電池パック出力電極ヘッド装置。
【請求項３】
前記電極ヘッドは端子ヘッド、円形電極ヘッドまたはＬ字型電極ヘッドである、請求項１に交換可能な電池パック出力電極ヘッド装置。
【請求項４】
前記電極ヘッド内部に、前記固定素子を締結固定するためのネジ部を少なくとも１つ有する、請求項１に交換可能な電池パック出力電極ヘッド装置。
【請求項５】
前記固定素子および前記電極ヘッドは導電体である、請求項１に交換可能な電池パック出力電極ヘッド装置。
【請求項６】
電池ホルダをさらに含む、請求項１に交換可能な電池パック出力電極ヘッド装置。
【請求項７】
前記共用上蓋は前記電池ホルダ上部を覆う、請求項６に交換可能な電池パック出力電極ヘッド装置。
【請求項８】
前記共用上蓋は固定素子を用いてねじ締結固定または係止爪係合方式により電極ヘッドと固定される、請求項７に交換可能な電池パック出力電極ヘッド装置。
【請求項９】
異なる上蓋の鋳型製作コストを節約するため、必要に応じて前記共用上蓋に任意で電極ヘッドを取り付けられる、請求項７に交換可能な電池パック出力電極ヘッド装置。
【考案の詳細な説明】
【技術分野】
【０００１】
本考案は電池パック出力電極ヘッドに関するものであって、特に、交換可能な電池パック出力電極ヘッド装置に関するものである。
【背景技術】
【０００２】
科学技術社会の中で、かつて人間が行っていた作業を人々は次第に大型機械に任せるようになり、人的コストの支出が抑えられるとともに製品の歩留まり率も高まり、電子製品は生活をさらに便利にしている。
【０００３】
機械および電子製品は電源供給がなければ動かすことができず、異なる機械や異なる電子製品の間で使用されるコネクタは完全に同じではない。
大型機械に関しては、配線に必要な工業用コネクタとは電源コードに用いる端子ヘッドまたはＬ字型電極ヘッドを指すことがある。
自動車用シガーライターを例に挙げると、自動車の電槽に接続するのに用いられるコネクタは円形電極ヘッドであり、電極ヘッドと上蓋は相互に対応したものであるため、異なる電池パックは、異なるサイズの上蓋および異なるタイプの電極ヘッドを有し、各電池パックに対応した上蓋の鋳型を製造する必要があり、コストが増加する。
【考案の概要】
【考案が解決しようとする課題】
【０００４】
そこで本考案は、上述した従来技術の欠点に対し、上述の問題を克服するのに有効な、交換可能な電池パック出力電極ヘッド装置を提案する。
【０００５】
本考案の主な目的は、共用上蓋表面に設置される電極ヘッドは必要に応じて少なくとも３種類のタイプのものと交換可能であり、かつ共用上蓋がさまざまな電池パックの電池ホルダに応用できる、交換可能な電池パック出力電極ヘッド装置を提供することである。
【０００６】
本考案のもう１つの目的は、固定素子が共用上蓋および電極ヘッドを貫通することにより電極ヘッドを共用上蓋の外部に締結固定する、交換可能な電池パック出力電極ヘッド装置を提供することである。
【課題を解決するための手段】
【０００７】
上述の目的を達成するため、本考案が提供する交換可能な電池パック出力電極ヘッド装置は、共用上蓋、少なくとも２つの電極ヘッドおよび１組の固定素子を含み、共用上蓋上には少なくとも２つの固定孔を設け、電極ヘッドは共用上蓋の外部に設けられて各固定孔に対応し、固定素子を用いて共用上蓋の内部からそれぞれ固定孔を貫通させた後、電極ヘッドを係止爪係合またはねじ締結方式で共用上蓋の外部に固定し、電極ヘッドは固定素子を用いて共用上蓋上に固定する。このため、異なる差し込み口での電力供給に対応するための異なる電極ヘッドの交換および組み付けをするのが容易になる。
【考案の効果】
【０００８】
本考案が提供する交換可能な電池パック出力電極ヘッド装置は、電池パックに設置される共用上蓋にかかるものであり、この共用上蓋は工業用、自動車用またはその他の電池パックのいずれにも使用でき、共用上蓋上には２つの固定孔が設けられ、固定素子を利用してネジ締結または係止爪係合方式により異なるタイプの電極ヘッドを共用上蓋上に固定するので、異なる電池パックの必要に応じて電極ヘッドを取り外し、必要な電極ヘッドタイプに交換してから、共用上蓋を前記電池パック上に取り付けられ、異なる上蓋の鋳型を製造するコストを節約できる。
【図面の簡単な説明】
【０００９】
【図１】本考案の交換可能な電池パック出力電極ヘッド装置を示す図である。
【図２】本考案の交換可能な電池パック出力電極ヘッド装置の分解図である。
【図３】本考案の交換可能な電池パック出力電極ヘッド装置の側面図である。
【考案を実施するための形態】
【００１０】
［実施例］
本考案は交換可能な電池パック出力電極ヘッド装置である。
本考案の交換可能な電池パック出力電極ヘッド装置１０の実施例を示す図１および分解図である図２を同時に参照されたい。
この交換可能な電池パック出力電極ヘッド装置１０は電池ホルダ１２、共用上蓋１４、１組の固定素子１６および少なくとも２つの電極ヘッド１８を含む。
共用上蓋１４は電池ホルダ１２上部を覆い、電極ヘッド１８は共用上蓋１４の上に設けられ、正極および負極を含む。
共用上蓋１４上には少なくとも２つの固定孔１４２を設け、固定素子１６を利用して共用上蓋１４の内部から固定孔１４２をそれぞれ貫通した後、電極ヘッド１８は係止爪係合またはねじ締結方式により固定素子１６に接続するとともに共用上蓋１４の外部に固定される。
【００１１】
固定素子１６はボルトまたはネジであってもよく、電極ヘッド１８内部には少なくとも１つのネジ部（図中未表示）を設けて固定素子１６を締結し、電極ヘッド１８は端子ヘッド１８ａ、円形電極ヘッド１８ｂまたはＬ字型電極ヘッド１８ｃであってもよい。
図１では共用上蓋１４上に固定される電極ヘッド１８は１組のＬ字型電極ヘッド１８ｃである。固定素子１６および電極ヘッド１８は導電体である。
【００１２】
図３は本考案の側面図であり、その右半分は特に側面断面図である。
図が示すように、Ｌ字型電極ヘッド１８ｃは共用上蓋１４上に配置され、固定素子１６が共用上蓋１４を貫通した後、Ｌ字型電極ヘッド１８ｃを固定していることがわかる。
Ｌ字型電極ヘッド１８ｃは円形電極ヘッド１８ｂまたは端子ヘッド１８ａと交換することも可能であり、同様に固定素子１６を利用して固定する。
【００１３】
製作された共用上蓋には、必要に応じて任意に電極ヘッドを取り付けることができる。たとえば、この共用上蓋を工業用機械に応用する場合、端子ヘッドまたはＬ字型電極ヘッドを取り付けられる。また、この共用上蓋を自動車用シガーライターに応用する場合は、円形電極ヘッドを取り付ければよい。
１つの上蓋で３種類以上の電極ヘッドに対応でき、先行技術のように１つの上蓋は１種類の電極ヘッドにしか対応しないために３種類の電極ヘッドには３種類の上蓋の鋳型を製造するといった必要がない。１つの共用上蓋の鋳型製作だけですむので、コストを削減できるという効果がもたらされる。
【００１４】
上述の記載は本考案の好ましい実施例の説明に過ぎず、本考案の実施範囲を限定するものではない。したがって、本考案の実用新案登録請求の範囲で述べられた特徴および精神に基づいた変更や潤色は全て、本考案の実用新案登録請求の範囲内に含まれる。
【符号の説明】
【００１５】
１０    交換可能な電池パック出力電極ヘッド装置
１２    電池ホルダ
１４    共用上蓋
１４２  固定孔
１６    固定素子
１８    電極ヘッド
１８ａ  端子ヘッド
１８ｂ  円形電極ヘッド
１８ｃ  Ｌ字型電極ヘッド
【図１】
0003189899.tif 000003
【図２】
0003189899.tif 000004
【図３】
0003189899.tif 000005